(57)【要約】【課題】  チップサイズの小型化を図ると共に、減衰特性の劣化を防ぐことができ、高周波における損失を低減する弾性表面波フィルタを提供する。【解決手段】  入力側ＩＤＴ電極の間に第１及び第２のグレーティング電極を備え、第１のグランドパッドが、入力側ＩＤＴ電極と第１のグレーティング電極に接続し、入力側ＩＤＴ電極が、第１のグレーティング電極と第２のグレーティング電極に接続し、第２のグレーティング電極が、第１の反射器を介して第２のグランドパッドに接続し、出力側ＩＤＴ電極の間に第３及び第４のグレーティング電極を備え、第３のグランドパッドが、出力側ＩＤＴ電極と第４のグレーティング電極に接続し、出力側ＩＤＴ電極が、第４のグレーティング電極と第３のグレーティング電極に接続し、第３のグレーティング電極が、第２の反射器を介して第４のグランドパッドに接続する弾性表面波フィルタである。【選択図】        図１
2013150196.tif 000002
【特許請求の範囲】
【請求項１】
圧電基板上に、入力側フィルタと出力側フィルタとが接続領域を挟んで形成された縦結合二重モード弾性表面波フィルタであって、
前記入力側フィルタの入力側に、入力パッドと、第１のグランドパッドが形成され、前記接続領域に第２のグランドパッドが形成され、前記出力側フィルタの出力側に、出力パッドと、第３のグランドパッドが形成され、前記接続領域に第４のグランドパッドが形成されると共に、
前記入力側フィルタが、入力側ＩＤＴ電極と、前記入力側ＩＤＴ電極の間に形成され、グレーティング構造を有する第１及び第２のグレーティング電極とを備え、
前記第１のグランドパッドが、前記入力側ＩＤＴ電極の一部に接続すると共に、前記第１のグレーティング電極の一端に接続し、
前記入力側ＩＤＴ電極の前記入力パッドが接続する部分とは反対側の部分が、前記第１のグレーティング電極の他端に接続すると共に、前記第２のグレーティング電極の一端に接続し、
前記第２のグレーティング電極の他端が、第１の反射器を介して前記第２のグランドパッドに接続し、
前記出力側フィルタが、出力側ＩＤＴ電極電極と、前記出力側ＩＤＴ電極の間に形成され、グレーティング構造を有する第３及び第４のグレーティング電極とを備え、
前記第３のグランドパッドが、前記出力側ＩＤＴ電極の一部に接続すると共に、前記第４のグレーティング電極の一端に接続し、
前記出力側ＩＤＴ電極の前記出力パッドが接続する部分とは反対側の部分が、前記第４のグレーティング電極の他端に接続すると共に、前記第３のグレーティング電極の一端に接続し、
前記第３のグレーティング電極の他端が、第２の反射器を介して前記第４のグランドパッドに接続することを特徴とする弾性表面波フィルタ。
【請求項２】
入力側フィルタにおいて、入力側ＩＤＴ電極が、第１、第２、第３の３つの部分から成り、前記第２の部分が入力パッドに接続され、
前記第１の部分と前記第２の部分との間に、第１のグレーティング電極が形成され、前記第２の部分と前記第３の部分との間に、第２のグレーティング電極が形成され、
第１のグランドパッドが、前記第１の部分と前記第１のグレーティング電極に接続し、
前記第２の部分と、前記第１のグレーティング電極と、前記第２のグレーティング電極とが、接続領域に形成された第１の電極によって接続され、
前記第２のグレーティング電極と、前記第３の部分と、第１の反射器とが、前記接続領域とは反対側に形成された第２の電極によって接続され、
出力側フィルタにおいて、出力側ＩＤＴ電極が、第４、第５、第６の３つの部分から成り、前記第５の部分が出力パッドに接続され、
前記第４の部分と前記第５の部分との間に、第３のグレーティング電極が形成され、前記第５の部分と前記第６の部分との間に、第４のグレーティング電極が形成され、
第３のグランドパッドが前記第６の部分と前記第４のグレーティング電極に接続し、
前記第５の部分と、前記第３のグレーティング電極と前記第４のグレーティング電極とが、接続領域に形成された第３の電極によって接続され、
前記第３のグレーティング電極と、前記第４の部分と、第２の反射器とが、前記接続領域とは反対側に形成された第４の電極によって接続されていることを特徴とする請求項１記載の弾性表面波フィルタ。
【請求項３】
第２のグランドパッドが、出力側フィルタの第６の部分に隣接する反射器に接続され、第４のグランドパッドが、入力側フィルタの第１の部分に隣接する反射器に接続されていることを特徴とする請求項１又は２記載の弾性表面波フィルタ。
【請求項４】
入力側フィルタの第２の電極が、第２のグレーティング電極に接続せず、出力側フィルタの第４の電極が、第３のグレーティング電極に接続しないことを特徴とする請求項３記載の弾性表面波フィルタ。
【発明の詳細な説明】
【技術分野】
【０００１】
本発明は、弾性表面波フィルタに係り、特にチップサイズの小型化を図ると共に、減衰特性の劣化を防ぐことができ、また、高周波における損失を低減する弾性表面波フィルタに関する。
【背景技術】
【０００２】
［先行技術の説明］
近年、ＳＡＷ（Surface Acoustic Wave;表面弾性波、又は弾性表面波）フィルタの小型化の要求に伴い、キャビティ構造のセラミックパッケージにＳＡＷチップを格納してボンディングワイヤにより結線する構成から、単板構造のセラミックパッケージに、バンプと呼ばれる金属端子を形成したＳＡＷチップをフェイスダウン実装して結線と保持を行う構成が多く用いられるようになっている。
【０００３】
［従来の弾性表面波フィルタの構成：図６］
従来の弾性表面波フィルタの構成について図６を用いて説明する。図６は、従来の弾性表面波フィルタの構成を示す平面図である。
図６に示す従来の弾性表面波フィルタは、ダブルモード共振結合型のＳＡＷフィルタであり、主として、圧電基板上に形成された入力側フィルタ５０と、出力側フィルタ６０と、複数の端子及び配線から構成されている。
【０００４】
入力側フィルタ５０は、表面波の伝搬方向に沿って近接配置されたＩＤＴ（Interdigital transducer）電極（櫛歯電極）５１，５２，５３と、ＩＤＴ電極５１の左側に設けられた反射器５４と、ＩＤＴ電極５３の右側に設けられた反射器５５とを備えている。
同様に、出力側フィルタ６０は、ＩＤＴ電極６１，６２,６３と、ＩＤＴ電極電極６１の左側に設けられた反射器６４と、ＩＤＴ電極６３の右側に設けられた反射器６５とを備えている。
各ＩＤＴ電極は、複数の電極指片と、電極指片の一端が接続されたバスバー部とを備えた一対の櫛型電極が、互いに対向して配置された構成となっている。
【０００５】
入力側フィルタ５０のＩＤＴ電極５２の２つの櫛型電極の内、外側の櫛型電極は、入力端子ボンディングパッド５６に接続され、内側の櫛型電極は、ＧＮＤ端子（接地端子）ボンディングパッド５７ｂ、５７ｃに接続されて接地されている。
ＩＤＴ電極５１の外側の櫛型電極は、ＧＮＤ端子ボンディングパッド５７ａに接続され、内側の櫛型電極は、縦続接続配線７１ａを介して出力側フィルタ６０のＩＤＴ電極６１に接続されている。
また、ＩＤＴ電極５３の外側の櫛型電極は、ＧＮＤ端子ボンディングパッド５７ｄに接続され、内側の櫛型電極は、縦続接続配線７１ｂを介して出力側フィルタ６０のＩＤＴ電極６３に接続されている。
【０００６】
入力側フィルタ５０と出力側フィルタ６０とは、上下に対称な構成となっており、出力側フィルタ６０の構成は入力側フィルタ５０とほぼ同様であるため詳細な説明は省略するが、ＩＤＴ電極６２の外側の櫛型電極が出力端子ボンディングパッド６６に接続され、ＩＤＴ電極６１の外側の櫛型電極は、ＧＮＤ端子ボンディングパッド６７ａに接続され、ＩＤＴ電極６３の外側の櫛型電極は、ＧＮＤ端子ボンディングパッド６７ｄに接続されている。
【０００７】
［ボンディングパッド数の削減］
上記構成の弾性表面波フィルタでは、各ＩＤＴ電極電極の端子は、それぞれ独立したボンディングパッドに接続され、ボンディングパッドに形成されたバンプを介してセラミックパッケージに接続される。
しかしながら、ＳＡＷデバイスの小型化に伴い、ＩＤＴ電極毎に個別のボンディングパッドを形成することが困難となっており、複数の電極端子を共通のボンディングパッドに結線することが要求されている。
【０００８】
複数のＩＤＴ電極の端子を共通のボンディングパッドに接続する際に、入力電極となる入力側フィルタ５０のＩＤＴ電極５２のＧＮＤ端子と、出力電極となる出力側フィルタ６０のＩＤＴ電極６２のＧＮＤ端子とをＳＡＷチップ上で結線すると、保証減衰量が悪化してしまう。
【０００９】
［高周波フィルタ］
また、要求される周波数が高くなるにつれ、線幅が細く、電極膜厚が薄くなるため、電極の抵抗が増大して、特性が劣化してしまう。
【００１０】
［関連技術］
尚、弾性表面波フィルタに関する技術としては、特開平１１−２３９０３５号公報「ＳＡＷデバイス」（東洋通信機株式会社、特許文献１）、特開２００３−３４７８８１号公報「弾性表面波フィルタ」（東洋通信機株式会社、特許文献２）がある。
【００１１】
特許文献１には、各縦結合多重モード弾性表面波フィルタの最外側ＩＤＴ電極のセクション間スペースとは反対側に配置された櫛型電極同士をセクション間スペースに形成された引き廻し電極を介して接続し、且つ引き廻し電極で接続された櫛型電極の一方のバスバーにＧＮＤ用電極パッドを接続した弾性表面波フィルタが記載されている。
【００１２】
特許文献２には、多段接続型縦結合多重モードＳＡＷフィルタにおいて、ＳＡＷフィルタ間にはリード電極のみを形成し、ボンディングパッドはＳＡＷフィルタの外側に形成することで、チップの外形寸法を削減することが記載されている。
【先行技術文献】
【特許文献】
【００１３】
【特許文献１】特開２００３−３４７８８１号公報
【特許文献２】特開平１１−２３９０３５号公報
【発明の概要】
【発明が解決しようとする課題】
【００１４】
しかしながら、従来の弾性表面波フィルタでは、チップの小型化を図るためにボンディングパッドの数を削減して、入力電極となるＩＤＴ電極のＧＮＤ端子と出力電極となるＩＤＴ電極のＧＮＤ端子とをＳＡＷチップ上で結線すると、保証減衰量が悪化するという問題点があった。
【００１５】
また、従来の弾性表面波フィルタでは、高周波になると電極の線幅が細くなって抵抗値が増大し、電力損失が多くなってしまうという問題点があった。
【００１６】
尚、特許文献１では、引き廻し電極を用いて両端のＩＤＴ電極を接続することは記載されているが、線幅を広げて電気抵抗の増大を抑えるものであり、特許文献１及び２には、引き廻し電極をグレーティング構造とすることは記載されていない。
【００１７】
本発明は、上記実状に鑑みて為されたもので、保証減衰量を劣化させずに良好な特性を維持しつつ小型化を図ると共に、高周波における損失を低減することができる弾性表面波フィルタを提供することを目的とする。
【課題を解決するための手段】
【００１８】
上記従来例の問題点を解決するための本発明は、圧電基板上に、入力側フィルタと出力側フィルタとが接続領域を挟んで形成された縦結合二重モード弾性表面波フィルタであって、入力側フィルタの入力側に、入力パッドと、第１のグランドパッドが形成され、接続領域に第２のグランドパッドが形成され、出力側フィルタの出力側に、出力パッドと、第３のグランドパッドが形成され、接続領域に第４のグランドパッドが形成されると共に、入力側フィルタが、入力側ＩＤＴ電極と、入力側ＩＤＴ電極の間に形成され、グレーティング構造を有する第１及び第２のグレーティング電極とを備え、第１のグランドパッドが、入力側ＩＤＴ電極の一部に接続すると共に、第１のグレーティング電極の一端に接続し、入力側ＩＤＴ電極の入力パッドが接続する部分とは反対側の部分が、第１のグレーティング電極の他端に接続すると共に、第２のグレーティング電極の一端に接続し、第２のグレーティング電極の他端が、第１の反射器を介して第２のグランドパッドに接続し、出力側フィルタが、出力側ＩＤＴ電極電極と、出力側ＩＤＴ電極の間に形成され、グレーティング構造を有する第３及び第４のグレーティング電極とを備え、第３のグランドパッドが、出力側ＩＤＴ電極の一部に接続すると共に、第４のグレーティング電極の一端に接続し、出力側ＩＤＴ電極の出力パッドが接続する部分とは反対側の部分が、第４のグレーティング電極の他端に接続すると共に、第３のグレーティング電極の一端に接続し、第３のグレーティング電極の他端が、第２の反射器を介して第４のグランドパッドに接続することを特徴としている。
【００１９】
また、本発明は、上記弾性表面波フィルタにおいて、入力側フィルタにおいて、入力側ＩＤＴ電極が、第１、第２、第３の３つの部分から成り、第２の部分が入力パッドに接続され、第１の部分と前記第２の部分との間に、第１のグレーティング電極が形成され、第２の部分と第３の部分との間に、第２のグレーティング電極が形成され、第１のグランドパッドが、第１の部分と第１のグレーティング電極に接続し、第２の部分と、第１のグレーティング電極と、第２のグレーティング電極とが、接続領域に形成された第１の電極によって接続され、第２のグレーティング電極と、第３の部分と、第１の反射器とが、接続領域とは反対側に形成された第２の電極によって接続され、出力側フィルタにおいて、出力側ＩＤＴ電極が、第４、第５、第６の３つの部分から成り、第５の部分が出力パッドに接続され、第４の部分と第５の部分との間に、第３のグレーティング電極が形成され、第５の部分と第６の部分との間に、第４のグレーティング電極が形成され、第３のグランドパッドが第６の部分と第４のグレーティング電極に接続し、第５の部分と、第３のグレーティング電極と第４のグレーティング電極とが、接続領域に形成された第３の電極によって接続され、第３のグレーティング電極と、第４の部分と、第２の反射器とが、接続領域とは反対側に形成された第４の電極によって接続されていることを特徴としている。
【００２０】
また、本発明は、上記弾性表面波フィルタにおいて、第２のグランドパッドが、出力側フィルタの第６の部分に隣接する反射器に接続され、第４のグランドパッドが、入力側フィルタの第１の部分に隣接する反射器に接続されていることを特徴としている。
【００２１】
また、本発明は、上記弾性表面波フィルタにおいて、入力側フィルタの第２の電極が、第２のグレーティング電極に接続せず、出力側フィルタの第４の電極が、第３のグレーティング電極に接続しないことを特徴としている。
【発明の効果】
【００２２】
本発明によれば、圧電基板上に、入力側フィルタと出力側フィルタとが接続領域を挟んで形成された縦結合二重モード弾性表面波フィルタであって、入力側フィルタの入力側に、入力パッドと、第１のグランドパッドが形成され、接続領域に第２のグランドパッドが形成され、出力側フィルタの出力側に、出力パッドと、第３のグランドパッドが形成され、接続領域に第４のグランドパッドが形成されると共に、入力側フィルタが、入力側ＩＤＴ電極と、入力側ＩＤＴ電極の間に形成され、グレーティング構造を有する第１及び第２のグレーティング電極とを備え、第１のグランドパッドが、入力側ＩＤＴ電極の一部に接続すると共に、第１のグレーティング電極の一端に接続し、入力側ＩＤＴ電極の入力パッドが接続する部分とは反対側の部分が、第１のグレーティング電極の他端に接続すると共に、第２のグレーティング電極の一端に接続し、第２のグレーティング電極の他端が、第１の反射器を介して第２のグランドパッドに接続し、出力側フィルタが、出力側ＩＤＴ電極電極と、出力側ＩＤＴ電極の間に形成され、グレーティング構造を有する第３及び第４のグレーティング電極とを備え、第３のグランドパッドが、出力側ＩＤＴ電極の一部に接続すると共に、第４のグレーティング電極の一端に接続し、出力側ＩＤＴ電極の出力パッドが接続する部分とは反対側の部分が、第４のグレーティング電極の他端に接続すると共に、第３のグレーティング電極の一端に接続し、第３のグレーティング電極の他端が、第２の反射器を介して第４のグランドパッドに接続する弾性表面波フィルタとしているので、ボンディングパッドの数を低減してチップの小型化を図ると共に、入力側ＩＤＴ電極のグランド端子と、出力側ＩＤＴ電極のグランド端子とがチップ上で結線しない構成として、保証減衰量の劣化を防ぎ、良好な周波数特性を実現することができ、引き回し配線を複数の電極から成るグレーティング構造として、抵抗の増大による損失を抑えることができる効果がある。
【００２３】
また、本発明によれば、上記弾性表面波フィルタにおいて、第２のグランドパッドが、出力側フィルタの第６の部分に隣接する反射器に接続され、第４のグランドパッドが、入力側フィルタの第１の部分に隣接する反射器に接続されている弾性表面波フィルタとしているので、上記弾性表面波フィルタに比べて抵抗の増大を大幅に抑制することができ、損失を低減できる効果がある。
【００２４】
また、本発明によれば、上記弾性表面波フィルタにおいて、入力側フィルタの第２の電極が、第２のグレーティング電極に接続せず、出力側フィルタの第４の電極が、第３のグレーティング電極に接続しない弾性表面波フィルタとしているので、周波数特性及び損失を適度に良好にすることができる効果がある。
【図面の簡単な説明】
【００２５】
【図１】本発明の第１の実施の形態に係る弾性表面波フィルタの平面説明図である。
【図２】本発明の第２の実施の形態に係る弾性表面波フィルタの平面図である。
【図３】本発明の第３の実施の形態に係る弾性表面波フィルタの平面図である。
【図４】（ａ）（ｂ）は、第１の弾性表面波フィルタの周波数特性を示す特性図である。
【図５】（ａ）（ｂ）は、第２の弾性表面波フィルタの周波数特性を示す特性図である。
【図６】従来の弾性表面波フィルタの構成を示す平面図である。
【発明を実施するための形態】
【００２６】
本発明の実施の形態について図面を参照しながら説明する。
［実施の形態の概要］
本発明の実施の形態に係る弾性表面波フィルタは、３つのＩＤＴ電極とその両側に形成された反射器とを備えた入力側フィルタ及び出力側フィルタとから成る縦結合二重モードフィルタであって、入力側フィルタ及び出力側フィルタがそれぞれ、フィルタの外側に形成された第１のＧＮＤ端子ボンディングパッドと、入力側フィルタと出力側フィルタの間に形成された第２のＧＮＤ端子ボンディングパッドと、ＩＤＴ電極の間に形成された２つのグレーティング構造の引き回し電極（グレーティング電極）とを備え、一端のＩＤＴ電極とそれに隣接するグレーティング電極とが第１のＧＮＤ端子ボンディングパッドに接続され、他端のＩＤＴ電極とそれに隣接するグレーティング電極とが第２のＧＮＤ端子ボンディングパッドに結線され、２つのグレーティング電極と中央のＩＤＴ電極とが引き回し電極を介して接続されている構成であり、ボンディングパッドの数を低減して小型化を図ると共に、入力電極となる入力側フィルタの中央のＩＤＴ電極のＧＮＤ端子と、出力電極となる出力側フィルタの中央のＩＤＴ電極のＧＮＤ端子とを素子上で結線しないようにして、十分な保証減衰量を確保して良好な特性とすることができ、また、引き回し電極を、電極を複数備えたグレーティング構造として、高周波であっても抵抗値の増大をある程度抑えて損失を低減することができるものである。
【００２７】
また、本発明の実施の形態に係る弾性表面波フィルタは、上記構成において、更に、入力側フィルタと出力側フィルタの間に形成された第２のＧＮＤ端子ボンディングパッドが、入力側フィルタと出力側フィルタの両方のＩＤＴ電極に結線された構成であり、抵抗を更に低減して、損失を低減することができるものである。
【００２８】
また、本発明の実施の形態に係る弾性表面波フィルタは、第２のＧＮＤ端子ボンディングパッドが、入力側フィルタと出力側フィルタの両方のＩＤＴ電極に結線されると共に、他端のＩＤＴ電極に隣接するグレーティング電極に結線しない構成であり、保証減衰量の劣化を防いで良好な特性とすると共に、抵抗の増大を抑えることができるものである。
【００２９】
［第１の実施の形態：図１］
本発明の第１の実施の形態に係る弾性表面波フィルタについて図１を用いて説明する。図１は、本発明の第１の実施の形態に係る弾性表面波フィルタの平面図である。
図１に示すように、本発明の第１の実施の形態に係る弾性表面波フィルタ（第１の弾性表面波フィルタ）は、縦結合二重モードフィルタであって、従来の弾性表面波フィルタと同様に、圧電基板上に形成された入力側フィルタ１００と、出力側フィルタ２００と、複数の端子ボンディングパッド及び電極配線から構成されている。
【００３０】
そして、第１の弾性表面波フィルタでは、入力側フィルタ１００及び出力側フィルタ２００の構成と、ボンディングパッドの数と、結線の状態が従来の弾性表面波フィルタとは異なっている。
【００３１】
［第１の弾性表面波フィルタの構成：図１］
第１の弾性表面波フィルタの特徴部分について具体的に説明する。
［フィルタの構成］
入力側フィルタ１００は、従来と同様の部分として、表面波の伝搬方向に沿って配置されたＩＤＴ電極１１，１２，１３と、その左端に設けられた反射器１４と、右端に設けられた反射器１５とを備え、第１の弾性表面波フィルタの特徴部分として、ＩＤＴ電極１１とＩＤＴ電極１２との間にグレーティング構造の引き回し電極（グレーティング電極）１７ａを備え、ＩＤＴ電極１２とＩＤＴ電極１３との間にグレーティング電極１７ｂを備えた構成となっている。
【００３２】
尚、ＩＤＴ電極１１，１２，１３は、請求項に記載した入力側フィルタの第１、第２、第３の部分にそれぞれ相当し、グレーティング電極１７ａ、１７ｂは、第１、第２のグレーティング電極に相当し、反射器１５は、第１の反射器に相当する。
【００３３】
また、出力側フィルタ２００は、従来と同様の部分としてＩＤＴ電極２１，２２，２３と、反射器２４,２５とを備え、第１の弾性表面波フィルタの特徴部分として、ＩＤＴ電極２１とＩＤＴ電極２２との間にグレーティング電極２７ａを備え、ＩＤＴ電極２２と、ＩＤＴ電極２３との間にグレーティング電極２７ｂを備えた構成となっている。
各ＩＤＴ電極は、複数の電極指片と、電極指片の一端が接続されたバスバー部とを備えた１組の櫛型電極が、互いに対向して配置された構成である。
【００３４】
ＩＤＴ電極２１，２２，２３は、請求項に記載した出力側フィルタの第４、第５、第６の部分それぞれ相当し、グレーティング電極２７ａ、２７ｂは、第３、第４のグレーティング電極に相当し、反射器２４は、第２の反射器に相当している。
【００３５】
また、グレーティング電極１７ａ，１７ｂ，２７ａ，２７ｂは、第１の弾性表面波フィルタの特徴部分であり、ＩＤＴ電極と他の電極とを接続する引き回し電極として形成されている。
図１の例では、グレーティング電極１７ａ，１７ｂ，２７ａ，２７ｂの本数は、いずれも３本としており、電極を複数並列に配列した構成とすることにより、高周波に対応可能とすると共に、抵抗の増大を少なくして周波数特性の劣化を抑えるものである。尚、グレーティング電極の電極本数は３本に限るものではない。
【００３６】
第１の弾性表面波フィルタでは、圧電基板としてタンタル酸リチウム３６°Ｙカット板を用い、中心周波数が９１５MHzとなるよう電極周期を決定している。
また、ＩＤＴ電極の電極対の本数は、端から１２対、１５対、１２対としており、反射器本数は６０本としている。
【００３７】
［ボンディングパッド］
更に、第１の弾性表面波フィルタでは、ボンディングパッドの数を６個としており、図６に示した従来の１０個に比べて少なくしている。
これにより、チップの小型化を図ることができるものである。
【００３８】
具体的には、入力側フィルタ１００に接続するボンディングパッドとして、入力端子ボンディングパッド３１と、接地端子が接続される第１のＧＮＤ端子ボンディングパッド３２及び第２のＧＮＤ端子ボンディングパッド３３とを備えている。
尚、入力端子ボンディングパッドは、請求項に記載した入力パッドに相当し、ＧＮＤ端子ボンディングパッドは、グランドパッドに相当する。
【００３９】
入力端子ボンディングパッド３１と、第１のＧＮＤ端子ボンディングパッド３２は、入力側フィルタ１００の外側（出力側フィルタ２００が配置されている側とは反対側）に形成され、第２のＧＮＤ端子ボンディングパッド３３は、入力側フィルタ１００と出力側フィルタとの間の領域（接続領域）に形成されている。
【００４０】
また、出力側フィルタ２００に接続するボンディングパッドとして、出力端子ボンディングパッド３４と、第３のＧＮＤ端子ボンディングパッド３５と、第４のＧＮＤ端子ボンディングパッド３６とを備えている。
出力端子ボンディングパッド３４と、第３のＧＮＤ端子ボンディングパッド３５は、出力側フィルタ２００の外側（入力側フィルタ１００が配置されている側とは反対側）に形成され、第４のＧＮＤ端子ボンディングパッド３６は、接続領域に形成されている。
尚、出力端子ボンディングパッドは、請求項に記載した出力パッドに相当している。
【００４１】
［その他の電極］
更にまた、入力側フィルタ１００には、引き回し電極として、電極３７と、電極３８が形成され、出力側フィルタ２００には、引き回し電極として、電極３９と、電極４０とが形成されている。
電極３７は、請求項に記載した第１の電極に、電極３８は、第２の電極に、電極３９は第３の電極に、電極４０は第４の電極に、それぞれ相当している。
【００４２】
そして、入力側フィルタ１００のＩＤＴ電極１１と出力側フィルタ２００のＩＤＴ電極２１とが、縦続接続配線４１を介して接続され、ＩＤＴ電極１３とＩＤＴ電極２３とが縦続接続配線４２を介して接続されている。
【００４３】
［電極とボンディングパッドとの結線：図１］
次に、第１の弾性表面波フィルタにおける電極とボンディングパッドとの結線について説明する。
［入力側フィルタ１００における結線］
まず、入力側フィルタ１００における結線について説明する。
第１のＧＮＤ端子ボンディングパッド３２は、反射器１４と、ＩＤＴ電極１１の外側の櫛型電極と、グレーティング電極１７ａとに接続している。
【００４４】
ここで、「外側の櫛型電極」とは、電極指片が接続されたバスバー部が、接続領域側ではなく外側（図１の上側）に形成された櫛型電極を指しており、それに対し、バスバー部が接続領域側に形成された櫛型電極を「内側の櫛型電極」と称するものとする。
【００４５】
そして、電極３７は、グレーティング電極１７ａと、ＩＤＴ電極１２の内側の櫛型電極と、グレーティング電極１７ｂとに接続している。
更に、電極３８は、グレーティング電極１７ｂと、ＩＤＴ電極１３の外側の櫛型電極と、反射器１５とに接続し、反射器１５が、第２のＧＮＤ端子ボンディングパッド３３に接続している。
つまり、入力電極であるＩＤＴ電極１２の接地端子は、第１のＧＮＤ端子ボンディングパッド３２と、第２のＧＮＤ端子ボンディングパッド３３とに結線している。
【００４６】
［出力側フィルタ２００における結線］
次に、出力側フィルタ２００における結線について説明する。
出力側フィルタ２００の構成は、接続領域の中心点に対して、入力側フィルタ１００と点対称の構成となっているため、簡単に説明する。
出力側フィルタ２００の第３のＧＮＤ端子ボンディングパッド３５は、反射器２５と、ＩＤＴ電極２３の外側（図１の下側）の櫛型電極と、グレーティング電極２７ｂとに接続している。
【００４７】
また、電極３９は、グレーティング電極２７ｂと、ＩＤＴ電極２２の内側の櫛型電極と、グレーティング電極２７ａとに接続している。
更に、電極４０は、グレーティング電極２７ａと、ＩＤＴ電極２１の外側の櫛型電極と、反射器２４とに接続し、反射器２４が、第４のＧＮＤ端子ボンディングパッド３６に接続している。
つまり、出力電極であるＩＤＴ電極２２の接地端子は、第３のＧＮＤ端子ボンディングパッド３５と、第４のＧＮＤ端子ボンディングパッド３６とに結線している。
【００４８】
［入力電極と出力電極の接地端子］
このように、第１の弾性表面波フィルタでは、上述したように各電極とボンディングパッドとを結線することにより、入力電極（ＩＤＴ電極１２）の接地端子が結線する第１のＧＮＤ端子ボンディングパッド３２及び第２のＧＮＤ端子ボンディングパッド３３と、出力電極（ＩＤＴ電極２２）の接地端子が結線する第３のＧＮＤ端子ボンディングパッド３５及び第４のＧＮＤ端子ボンディングパッド３６とは、チップ上において互いに結線されない構成としている。
【００４９】
これにより、第１の弾性表面波フィルタでは、ボンディングパッドの数を低減して小型化を図りつつも、入力電極と出力電極の接地端子をチップ上で結線しない構成として、十分な保証減衰量を確保して良好な特性とすることができるものである。
【００５０】
［第１の弾性表面波フィルタの周波数特性：図４］
次に、第１の弾性表面波フィルタの周波数特性について図４を用いて説明する。図４は、第１の弾性表面波フィルタの周波数特性を示す特性図であり、（ａ）は（ｂ）の一部を拡大したものである。
図４に示すように、第１の弾性表面波フィルタは、中心周波数が９１５MHzとなるよう調整されており、十分な補償減衰量を備えた良好な周波数特性が得られることがわかる。
【００５１】
［第１の実施の形態の効果］
本発明の第１の実施の形態に係る弾性表面波フィルタによれば、入力側フィルタ１００が、外側に形成された第１のＧＮＤ端子ボンディングパッド３２と、接続領域に形成された第２のＧＮＤ端子ボンディングパッド３３と、各ＩＤＴ電極の間に形成された２つのグレーティング電極１７ａ，１７ｂとを備え、ＩＤＴ電極が、グレーティング電極１７ａ、１７ｂを介して第１及び第２のＧＮＤ端子ボンディングパッド３２，３３に結線され、同様に、出力側フィルタ２００が、第３のＧＮＤ端子ボンディングパッド３５と、第４のＧＮＤ端子ボンディングパッド３６と、各ＩＤＴ電極の間に形成された２つのグレーティング２７ａ，２７ｂとを備え、ＩＤＴ電極が、グレーティング電極２７ａ、２７ｂを介して第３及び第４のＧＮＤ端子ボンディングパッド３５，３６に結線された構成としているので、入力側フィルタ１００の入力電極のＧＮＤ端子と、出力側フィルタ２００の出力電極のＧＮＤ端子とを結線しないようにして、保証減衰量の劣化を防いで良好な周波数特性を実現することができ、更に、引き回し電極として電極を複数備えたグレーティング電極１７ａ，１７ｂ，２７ａ，２７ｂを備えて、高周波においても、抵抗値の増大をある程度抑えて損失を低減することができる効果がある。
【００５２】
［第２の実施の形態：図２］
次に、本発明の第２の実施の形態に係る弾性表面波フィルタについて図２を用いて説明する。図２は、本発明の第２の実施の形態に係る弾性表面波フィルタの平面図である。
図２に示すように、本発明の第２の実施の形態に係る弾性表面波フィルタ（第２の弾性表面波フィルタ）は、上述した第１の弾性表面波フィルタとほぼ同様の構成であり、入力側フィルタ１１０と、出力側フィルタ２１０と、複数のボンディングパッド及び電極とから構成される。
【００５３】
第２の弾性表面波フィルタの基本的な構成部分は第１の弾性表面波フィルタと同一であるため説明を省略するが、接続領域に形成される第２のＧＮＤ端子ボンディングパッド３３′と、第４のＧＮＤ端子ボンディングパッド３６′の形状及び接続関係が、第１の弾性表面波フィルタとは異なっている。
【００５４】
第２の弾性表面波フィルタの特徴部分について説明する。
図２に示すように、第２の弾性表面波フィルタでは、第２のＧＮＤ端子ボンディングパッド３３′が、入力側フィルタ１１０の反射器１５だけでなく、出力側フィルタ２１０の反射器２５′にも接続している。
また、第４のＧＮＤ端子ボンディングパッド３６′が、出力側フィルタ２１０の反射器２４だけでなく、入力側フィルタ１１０の反射器１４′にも接続している。
【００５５】
これにより、第２の弾性表面波フィルタは、入力電極であるＩＤＴ電極１２のＧＮＤ端子ボンディングパッドと、出力電極であるＩＤＴ電極２２のＧＮＤ端子ボンディングパッドとが結線されることになるため、フィルタの周波数特性は第１の弾性表面波フィルタよりも劣化する。
しかしながら、第１の弾性表面波フィルタに比べて電気的抵抗を大幅に低減することができるため、損失を大幅に抑えることができるものである。
【００５６】
［第２の弾性表面波フィルタの周波数特性：図５］
次に、第２の弾性表面波フィルタの周波数特性について図５を用いて説明する。図５は、第２の弾性表面波フィルタの周波数特性を示す特性図であり、（ａ）は（ｂ）の拡大図である。
図５に示すように、第２の弾性表面波フィルタは、第１の弾性表面波フィルタほど減衰量が大きくなく、周波数特性は第１の弾性表面波フィルタに比べると良好ではない。
しかし、上述したように、抵抗値を大幅に低減できるため、第１の弾性表面波フィルタに比べて電気的特性は良好となる。
【００５７】
［第２の実施の形態の効果］
本発明の第２の実施の形態に係る弾性表面波フィルタによれば、第１の弾性表面波フィルタにおいて、更に、第２のＧＮＤ端子ボンディングパッド３３′を出力側フィルタ２１０の反射器３５′に接続し、第４のＧＮＤ端子ボンディングパッド３６′を入力側フィルタ１１０の反射器１４′に接続した構成としているので、第１の弾性表面波フィルタに比べて電気的抵抗を大幅に低減することができ、電力損失を大幅に低減することができる効果がある。
【００５８】
［第３の実施の形態：図３］
次に、本発明の第３の実施の形態に係る弾性表面波フィルタについて図３を用いて説明する。図３は、本発明の第３の実施の形態に係る弾性表面波フィルタの平面図である。
図３に示すように、本発明の第３の実施の形態に係る弾性表面波フィルタ（第３の弾性表面波フィルタ）は、第２の弾性表面波フィルタに更に改良を加えた構成であり、損失を低減しつつ、周波数特性をより良好にするよう、電極の接続関係を変えた構成である。
【００５９】
図３に示すように、第３の弾性表面波フィルタでは、第２の弾性表面波フィルタと同様に、第２のＧＮＤ端子ボンディングパッド３３′が出力側フィルタ２２０の反射器２５′に接続され、第４のＧＮＤ端子ボンディングパッド３６′が入力側フィルタ１２０の反射器１４′に接続されている。
【００６０】
そして、第３の弾性表面波フィルタの特徴部分として、入力側フィルタ１２０の電極３８′が、ＩＤＴ電極１３と反射器１５のみに接続し、グレーティング電極１７ｂには接続しないように、電極３８′が短く形成されている、
また、出力側フィルタ２２０の電極４０′が、ＩＤＴ電極２１と反射器２４のみに接続し、グレーティング電極２７ａには接続しないように、電極４０′が短く形成されている。
【００６１】
これにより、第３の弾性表面波フィルタでは、第２のＧＮＤ端子ボンディングパッド３３′は、入力側フィルタ１２０の反射器１５を介して、ＩＤＴ電極１３に結線し、出力側フィルタ２２０では、反射器２５′を介して、第３のＧＮＤ端子ボンディングパッド３５、ＩＤＴ電極２３、グレーティング電極２７ｂ、ＩＤＴ電極２２、グレーティング電極２７ａに結線する。
【００６２】
また、第４のＧＮＤ端子ボンディングパッド３６′は、入力側フィルタ１２０の反射器１４′を介して、第１のＧＮＤ端子ボンディングパッド３２、ＩＤＴ電極１１、グレーティング電極１７ａ、ＩＤＴ電極１２、グレーティング電極１７ｂに結線し、出力側フィルタ２２０では、反射器２４を介してＩＤＴ電極２１に結線する。
【００６３】
このように結線することにより、第３の弾性表面波フィルタは、第１の弾性表面波フィルタと第２の弾性表面波フィルタとの中間的な特性を備えたものとなり、第２の弾性表面波フィルタに比べて周波数特性が良好になり、第１の弾性表面波フィルタに比べて損失を低減することができるものである。
【００６４】
［第３の実施の形態の効果］
本発明の第３の実施の形態に係る弾性表面波フィルタによれば、第２の弾性表面波フィルタの構成において、電極３８′をグレーティング電極１７ｂに接続しないよう短く形成すると共に、電極４０′をグレーティング電極２７ａに接続しないよう短く形成しているので、第１の弾性表面波フィルタと第２の弾性表面波フィルタとの中間的な特性が得られ、良好な周波数特性が得られると共に、高周波においても低損失とすることができる効果がある。
【産業上の利用可能性】
【００６５】
本発明は、特にチップサイズの小型化を図ると共に、減衰特性の劣化を防ぐことができ、高周波における損失を低減する弾性表面波フィルタに適している。
【符号の説明】
【００６６】
１１，１２，１３，２１，２２，２３，５１，５２，５３，６１，６２，６３...ＩＤＴ電極、  １４，１５，２４，２５，５４，５５，６４，６５...反射器、  １７ａ，１７ｂ，２７ａ，２７ｂ...グレーティング電極、  ３１，５６...入力端子ボンディングパッド、  ３２...第１のＧＮＤ端子ボンディングパッド、  ３３...第２のＧＮＤ端子ボンディングパッド、  ３４，６６...出力端子ボンディングパッド、  ３５...第３のＧＮＤ端子ボンディングパッド、  ３６...第４のＧＮＤ端子ボンディングパッド、３７,３８,３９,４０...電極、  ４１，４２，７１...縦続接続電極、  ５７，６７...ＧＮＤ端子ボンディングパッド、  ５０，１００，１１０，１２０...入力側フィルタ、  ６０，２００，２１０，２２０...出力側フィルタ
【図１】
2013150196.tif 000003
【図２】
2013150196.tif 000004
【図３】
2013150196.tif 000005
【図４】
2013150196.tif 000006
【図５】
2013150196.tif 000007
【図６】
2013150196.tif 000008